(57)【要約】【課題】確実に防水を行うことのできる電気接続箱の防水構造を提供する。【解決手段】外壁２４ａの一部を膨出させて膨出部２５ａ、２５ｂを設けることにより、ヒューズプレートやコネクタブロック等、飛水により影響がある部分へ水が滴下するのを防止することができる。すなわち、飛水により影響がある部分を越えるように箱体の側壁２４ａを延設したので、水は延設された側壁２４ａを伝って下方へ滴下する。あるいは、膨出部２５ａ、２５ｂが水の流れを遮断または方向変換するので、外壁を伝って毛細管現象によって水が内部に浸入するのを防止することができる。【選択図】        図１
2004328929.tif 000002
【特許請求の範囲】
【請求項１】
箱体が取り付けられた時の飛水の防止を必要とする外壁の一部を膨出させ、該膨出部により上からの水滴の落下を食い止め、水滴を落下するように構成したことを特徴とする電気接続箱の防水構造。
【請求項２】
前記箱体の側壁を延設したことを特徴とする請求項１に記載した電気接続箱の防水構造。
【請求項３】
前記飛水の防止を必要とする部分に間隔をおいて一部を膨出させた膨出部を設けたことを特徴とする請求項１に記載した電気接続箱の防水構造。
【請求項４】
前記膨出部を山形に形成したことを特徴とする請求項１乃至３に記載した電気接続箱の防水構造。
【請求項５】
補強リブを利用したことを特徴とする請求項４に記載した電気接続箱の防水構造。
【発明の詳細な説明】
【０００１】
【発明の属する技術分野】
この発明は、電気接続箱の防水構造に関するものである。
【０００２】
【従来の技術】
従来より、防水構造を有する電気接続箱の一例が開示されている（例えば、特許文献１参照。）。
すなわち、図９に示すように、この電気接続箱１００は、外付けの各電子部品１０１、１０２、１０３の装着面１０４が設けられているアッパーケース１１０と、このアッパーケース１１０に嵌合されるアンダーケース１２０と、アッパーケース１１０とアンダーケース１２０との間に収納される接続箱本体１３０とから構成されている。
従って、接続箱本体１３０を、装着面１３１が前面となるようにしてアッパーケース１１０とアンダーケース１２０との間に収納することにより、電気接続箱１００が形成される。また、装着面１３１の上端部に、この装着面１３１に装着された各電子部品１０１、１０２、１０３より突出量が大きくなる膨出部分１３２を形成している。
【０００３】
従って、アッパーケース１１０の装着面の上端部に形成された膨出部分１１１は、装着面に装着された各電子部品１０１、１０２、１０３よりも突出量が大きいため、接続箱本体２０の上方から落下してくる水滴に対して庇としての機能を発揮し、水滴が装着面の電子部品１０１、１０２、１０３にかかるのを防止している。
【０００４】
【特許文献１】
特開２００２−３３０５２４号公報（第５−７頁、第１図）
【０００５】
【発明が解決しようとする課題】
しかしながら、前述した電気接続箱１００のように、アンダーケース１２０を上方から覆うようにアッパーケース１１０を装着して使用する場合には、上から滴下してくる水に対して防水効果を期待することができるが、アッパーケース１１０とアンダーケース１２０との接続面が鉛直面となるような状態で使用する場合には、あまり防水効果が期待できないという問題がある。
【０００６】
本発明は、前述した問題点に鑑みてなされたものであり、その目的は、確実に防水を行うことのできる電気接続箱の防水構造を提供することにある。
【０００７】
【課題を解決するための手段】
前述した目的を達成するために、本発明にかかる電気接続箱の防水構造は、請求項１に記載したように、箱体が取り付けられた時の飛水の防止を必要とする外壁の一部を膨出させ、該膨出部により上からの水滴の落下を食い止め、水滴を落下するように構成したことを特徴としている。
【０００８】
このように構成された電気接続箱の防水構造においては、外壁の一部を膨出させて膨出部を設けることにより、ヒューズプレートやコネクタブロック等、飛水により影響がある部分へ水が滴下するのを防止することができる。なお、ここで、膨出させるとは、膨らんで突出する場合のみならず、延設する場合も含むものとする。
【０００９】
また、本発明にかかる電気接続箱の防水構造は、請求項２に記載したように、請求項１に記載した電気接続箱の防水構造において、前記箱体の側壁を延設したことを特徴としている。
【００１０】
このように構成された電気接続箱の防水構造においては、飛水により影響がある部分を越えるように箱体の側壁を延設したので、水は延設された側壁を伝って下方へ滴下する。これにより、飛水により影響がある部分へ水が滴下するのを防止することができる。
【００１１】
また、本発明にかかる電気接続箱の防水構造は、請求項３に記載したように請求項１に記載した電気接続箱の防水構造において、前記飛水の防止を必要とする部分に間隔をおいて一部を膨出させた膨出部を設けたことを特徴としている。
【００１２】
このように構成された電気接続箱の防水構造においては、膨出部が水の流れを遮断または方向変換するので、外壁を伝って毛細管現象によって水が内部に浸入するのを防止することができる。
【００１３】
また、本発明にかかる電気接続箱の防水構造は、請求項４に記載したように、請求項１乃至３に記載した電気接続箱の防水構造において、前記膨出部を山形に形成したことを特徴としている。
【００１４】
このように構成された電気接続箱の防水構造においては、山形の膨出部が水の流れを左右に方向変換して、防水を図る。
【００１５】
また、本発明にかかる電気接続箱の防水構造は、請求項５に記載したように、請求項４に記載した電気接続箱の防水構造において、補強リブを利用したことを特徴としている。
【００１６】
このように構成された電気接続箱の防水構造においては、すでにある補強リブを用いて水の流れを遮断または方向変換するので、水が内部に浸入するのを防止することができる。
【００１７】
【発明の実施の形態】
以下、本発明に係る電気接続箱の防水構造の実施の形態を図面に基づいて詳細に説明する。図１には本発明に係る電気接続箱の防水構造を有する電気接続箱の分解斜視図、図２は電気接続箱の正面図、図３は電気接続箱の平面図、図４は電気接続箱の使用状態の例を示す説明図、図５は本発明に係る電気接続箱の防水構造の要部斜視図、図６は本発明に係る電気接続箱の防水構造の別の部分を示す要部斜視図、図７は本発明に係る電気接続箱の防水構造のさらに別の部分を示す要部斜視図、図８（Ａ）および（Ｂ）は膨出部を示す説明図である。
【００１８】
図１に示すように、本発明に係る電気接続箱の防水構造を備えた電気接続箱１０は、前後（図１において紙面直交方向の前後）両面に開口部２１ｆ、２１ｒを有する接続箱本体２０と、この接続箱本体２０の前後の開口部２１ｆ、２１ｒの両外側に被るように嵌合される一対のカバー部材３０ｆ、３０ｒとを有している。接続箱本体２０、両カバー部材３０ｆ、３０ｒ等は、一般に、合成樹脂から形成されている。
この電気接続箱１０は、例えば接続箱本体２０の両開口部２１ｆ、２１ｒがほぼ垂直面に沿った状態で使用される。特に、図４に示すように、隅角部１１を頂点として斜めにセットされる場合が多い。
【００１９】
図１に戻って、接続箱本体２０の内部には、種々の電装品を装着するための電装品収容ブロック２２が設けられており、その外周には接続箱本体壁部２３がカバー部材３０ｆ、３０ｒの嵌合方向（図１中矢印方向）である前後両側に設けられている。接続箱本体壁部２３の内、少なくとも電気接続箱１０の使用状態において上側となる接続箱本体壁部２３Ｕにおいては、外部内部二重壁部を構成する外側壁２４ａおよび内側壁２４ｂが各々前後両方に向かって設けられている。
【００２０】
接続箱本体２０に設けられている外側壁２４ａおよび内側壁２４ｂから構成される外部内部二重壁部は、外側壁２４ａと内側壁２４ｂとの間に一定の隙間を設け、この隙間にカバー部材３０ｆ、３０ｒを各々嵌合させることにより、カバー部材３０ｆ、３０ｒを外側壁２４ａと内側壁２４ｂとの間に含む構造となっている。
なお、図４に示すように、外壁の一部を膨出させる例として、カバー部材３０ｆ、３０ｒを被せた状態で、外側壁２４ａの左右両端部をカバー部材３０ｆ、３０ｒから外側に突出するように延設されて膨出部である延設部２５ａ、２５ｂが設けられている。
【００２１】
図１に示すように、裏側のカバー部材３０ｒは、前述した接続箱本体２０の裏側の開口部２１ｒを覆うべく、ほぼ矩形状のベースプレート３１ｒを有しており、このベースプレート３１ｒの外周には壁３２ｒがベースプレート３１ｒに対して直角（嵌合方向）に設けられている。嵌合端縁となる壁３２ｒの先端には、接続箱本体壁部２３の外側壁２４ａに向かってリブ３２ａが突出して設けられている。
【００２２】
カバー部材３０ｒの壁３２ｒは、場所によって切欠き３３ａ、３３ｂが設けられており、接続箱本体２０の電装品収容ブロック２２に設けられている取付ブラケット２６との干渉を回避したり、電装品収容ブロック２２に取付けたコネクタ１２（図２および図７参照）を覆うコネクタカバー１２ａを付けることができるようになっている。
【００２３】
図５に示すように、外壁の一部を膨出させる例として、取付ブラケット２６と外側壁２４ａとの境界部分に設けられる補強リブ２７の上面に、山形の傾斜面２７ａ、２７ｂが設けられている。これにより、取付ブラケット２６の取付部を補強するとともに水分が溜まるのを防止している。
また、図６に示すように、外壁の一部を膨出させる例として、カバー部材３０ｆとカバー部材３０ｒとの境界部分に設けられているヒューズプレート１３の上側に、両カバー部材３０ｆ、３０ｒに膨出した水落としリブ３４ｆ、３４ｒを設けた。この水落としリブ３４ｆ、３４ｒは各々カバー部材３０ｆ、３０ｒから外側に膨出しているため、上側からの水の流れを遮断して、ヒューズプレート１３に水がかからないようにしている。
【００２４】
また、図７に示すように、外壁の一部を膨出させる例として、コネクタ用の切欠き３３ｂの上側の外側壁２４ａにも補強リブ２８が設けられてある。これにより、外側壁２４ａを補強するとともに水の流れを阻止して、コネクタ１２に水がかからないようにしている。なお、この補強リブ２８の上側面は山形に傾斜面２８ａ、２８ｂを設け、水が外側に流れ落ち易くするのが好ましい。
【００２５】
また、図１に示すように、表側のカバー部材３０ｆは、接続箱本体２０の表側の開口部２１ｆを覆うべく、前述した裏側のカバー部材３０ｒと同様の形状をしている。
すなわち、ベースプレート３１ｆの外周には壁３２ｆが嵌合方向に延びて設けられており、壁３２ｆの先端には前述した裏側のカバー部材３０ｒに設けたリブ３２ａと同じリブ３２ａが設けられている。
なお、カバー部材３０ｆには、電装品収容ブロック２２に装着される電装品との干渉を回避するために、電装品の形状に対応して、凹部３５が設けられたり、切欠き３６ａ、３６ｂが設けられたりしている。
【００２６】
以上、前述した電気接続箱の防水構造によれば、ヒューズプレートやコネクタブロック等の飛水により影響がある部分を越えるように外側壁２４ａの端部を延設して延設部２５ａ、２５ｂを設けたので、外側壁２４ａに沿って流れてきた水は電気接続箱１０から離れた位置で滴下する。このため、ヒューズプレートやコネクタブロック等に水が滴下するのを防止することができる。
【００２７】
また、外側壁２４ａにおける取付ブラケット２６位置に設けられた補強リブ２７に傾斜面２７ａ、２７ｂを設けたり、外側壁２４ａにおけるコネクタ１２用切欠き３３ｂの上側に設けられている補強リブ２８に山形状の上面に傾斜面２８ａ、２８ｂを設けた。これにより、水が流れ落ち易くなり、防水効果を高めることができる。
【００２８】
なお、本発明の電気接続箱の防水構造は、前述した実施形態に限定されるものでなく、適宜な変形、改良等が可能である。
例えば、前述した各実施形態では、外側壁２４ａを延設して設けた延設部２５ａ、２５ｂを直線状にまっすぐ延設した場合について説明したが、この他、図８（Ａ）に示すように延設部２５ａ、２５ｂを曲げ上げて形成したり、図８（Ｂ）に示すように曲げ下ろして延設部２５ａ、２５ｂを形成することも可能である。
【００２９】
【発明の効果】
以上、説明したように、本発明にかかる電気接続箱の防水構造によれば、請求項１に記載したように、外壁の一部を膨出させて膨出部を設けることにより、ヒューズプレートやコネクタブロック等、飛水により影響がある部分へ水が滴下するのを防止することができる。
【図面の簡単な説明】
【図１】本発明に係る電気接続箱の防水構造の実施形態を示す分解斜視図である。
【図２】本発明に係る電気接続箱の防水構造の実施形態を示す正面図である。
【図３】本発明に係る電気接続箱の防水構造の実施形態を示す平面図である。
【図４】本発明に係る電気接続箱を斜めにして使用する状態を示す正面図である。
【図５】本発明に係る電気接続箱の防水構造の要部斜視図である。
【図６】本発明に係る電気接続箱の別の防水構造を示す要部斜視図である。
【図７】本発明に係る電気接続箱のさらに別の防水構造を示す要部斜視図である。
【図８】（Ａ）および（Ｂ）は、膨出部の変形例を示す拡大図である。
【図９】従来の電気接続箱の防水構造を示す分解斜視図である。
【符号の説明】
１０  電気接続箱（箱体）
２４ａ  外側壁（外壁）
２５ａ、２５ｂ  延設部（膨出部）
２７、２８  補強リブ（膨出部）
３４  水落としリブ（膨出部）
【図１】
2004328929.tif 000003
【図２】
2004328929.tif 000004
【図３】
2004328929.tif 000005
【図４】
2004328929.tif 000006
【図５】
2004328929.tif 000007
【図６】
2004328929.tif 000008
【図７】
2004328929.tif 000009
【図８】
2004328929.tif 000010
【図９】
2004328929.tif 000011